(57)【要約】【課題】移動通信システムにおいてマルチキャストマルチメディア放送サービスのための呼出装置及び方法を提供する。【解決手段】サービスパケット無線サービス支援ノードによって、サービスを示す識別子、及び前記サービスに関連した呼出情報の有無を示す呼出表示を伝送する呼出区間と関連する係数を決定し、無線ネットワーク制御器に伝送する過程と、前記無線ネットワーク制御器によって、前記識別子及び係数を前記使用者端末機に伝送し、前記呼出表示を伝送することで、前記使用者端末機が前記呼出情報の有無を認識するよう制御する過程とからなる。【選択図】  図２
2004166211.tif 000002
【特許請求の範囲】
【請求項１】
第１サービス及び前記第１サービスと異なる第２サー
ビスを提供する移動通信システムで、前記第２サービスを提供する使用者端末機を呼び出す方法において、
サービスパケット無線サービス支援ノードによって、使用者端末機の第２サービス要請に従って前記第２サービスを示す識別子、及び前記第２サービスに関連した呼出情報の有無を示す呼出表示を伝送する呼出区間と関連する係数を決定し、無線ネットワーク制御器に伝送する過程と、
前記無線ネットワーク制御器によって、前記識別子及び係数を前記使用者端末機に伝送し、前記識別子及び係数を使用して前記呼出区間及び前記呼出区間のそれぞれにおいて前記呼出表示を伝送する時点を決定し、前記呼出区間のそれぞれの前記呼出表示を伝送する時点で第１チャネルを通して前記呼出表示を伝送することで、前記使用者端末機が前記呼出情報の有無を認識するように制御する過程と、
からなることを特徴とする方法。
【請求項２】
前記使用者端末機は、前記識別子及び係数を使用して前記呼出区間及び前記呼出区間のそれぞれにおいて前記呼出表示を受信する時点を決定し、前記呼出区間のそれぞれにおいて前記第１チャネルを監視して前記呼出表示が前記呼出情報の存在を示す場合、予め設定された設定時間以後の時点において第２チャネルを受信して前記呼出情報を受信する過程をさらに含む請求項１記載の方法。
【請求項３】
前記第１チャネルは、呼出表示チャネルであり、前記第２チャネルは、呼出チャネルである請求項２記載の方法。
【請求項４】
第１サービス及び前記第１サービスと異なる第２サービスを提供する移動通信システムで、前記第２サービスを提供する使用者端末機を呼び出す方法において、
サービスパケット無線サービス支援ノードは、前記第２サービスに関連した呼出情報が伝送される呼出情報伝送時点を受信し、前記第２サービスを示す識別子、前記第２サービスに関連した呼出情報の有無を示す呼出表示を伝送する呼出区間に関連する係数を決定し、前記呼出情報伝送時点と共に無線ネットワーク制御器に伝送する過程と、
前記無線ネットワーク制御器は、前記呼出情報伝送時点を利用して前記呼出区間の伝送開始時点を示す活性化時間を決定し、前記識別子、係数及び活性化時間を前記使用者端末機に伝送し、前記識別子及び係数を使用して前記呼出区間及び前記呼出区間のそれぞれにおいて前記呼出表示を伝送する時点を決定し、前記活性化時間から前記呼出区間のそれぞれの前記呼出表示を伝送する時点において第１チャネルを通して前記呼出表示を伝送することで、前記使用者端末機が前記呼出情報の有無を認識するように制御する過程と、
からなることを特徴とする方法。
【請求項５】
前記使用者端末機は、前記識別子及び係数を使用して前記呼出区間及び前記呼出区間のそれぞれにおいて前記呼出表示を受信する時点を決定し、前記活性化時間から前記呼出区間のそれぞれにおいて前記第１チャネルを監視し、前記呼出表示が前記呼出情報の存在を示す場合、予め設定された設定時間の以後の時点で第２チャネルを受信することによって前記呼出情報を受信する過程をさらに含む請求項４記載の方法。
【請求項６】
前記第１チャネルは呼出表示チャネルであり、前記第２チャネルは呼出チャネルである請求項５記載の方法。
【請求項７】
第１サービス及び前記第１サービスと異なる第２サービスを提供する移動通信システムで、前記第２サービスを提供する使用者端末機を呼び出す方法において、
サービスパケット無線サービス支援ノードは、前記第２サービスに関連した呼出情報が伝送される呼出情報伝送時点を受信し、前記第２サービスを示す識別子、及び前記第２サービスに関連した呼出情報の有無を示す呼出表示を伝送する呼出区間に関連する第１係数及び第２係数を決定し、前記呼出情報伝送時点と共に無線ネットワーク制御器に伝送する過程と、
前記無線ネットワーク制御器は、前記呼出情報伝送時点を利用して前記呼出区間の伝送開始時点を示す活性化時間を決定し、前記識別子、第１係数、第２係数及び活性化時間を前記使用者端末機に伝送し、前記識別子及び第１係数を使用して前記呼出区間及び前記呼出区間のそれぞれにおいて前記呼出表示を伝送する時点を決定し、前記識別子及び第２係数を使用して前記呼出区間及び前記呼出区間のそれぞれにおいて前記呼出表示を伝送する時点を決定した後、現在から前記活性化時間までは前記第１係数を使用して決定された呼出区間のそれぞれの呼出表示を伝送する時点において第１チャネルを通して前記呼出表示を伝送し、前記活性化時間からは前記第２係数を使用して決定された呼出区間のそれぞれの呼出表示を伝送する時点において前記第１チャネルを通して前記呼出表示を伝送することで、前記使用者端末機が前記呼出情報の有無を認識するように制御する過程と、
からなることを特徴とする方法。
【請求項８】
前記使用者端末機は、前記識別子及び第１係数を使用して前記呼出区間及び前記呼出区間のそれぞれにおいて前記呼出表示を受信する時点を決定し、前記識別子及び第２係数を使用して前記呼出区間及び前記呼出区間のそれぞれにおいて前記呼出表示を受信する時点を決定し、現在から前記活性化時間までは前記第１係数を使用して決定された呼出区間のそれぞれの呼出表示を受信する時点において前記第１チャネルを監視し、前記活性化時間からは前記第２係数を使用して決定された呼出区間のそれぞれの呼出表示を受信する時点において前記第１チャネルを監視し、前記呼出表示が呼出情報の存在を示す場合、予め設定された設定時間の以後の時点において第２チャネルを受信して前記呼出情報を受信する過程をさらに含む請求項７記載の方法。
【請求項９】
前記第１チャネルは呼出表示チャネルであり、前記第２チャネルは呼出チャネルである請求項８記載の方法。
【請求項１０】
第１サービス及び前記第１サービスと異なる第２サービスを提供する移動通信システムで、前記第２サービスを提供する使用者端末機を呼び出す装置において、
第２サービスに関連した呼出情報の有無を示す呼出表示を含む第１チャネル信号の伝送と関連したパラメータを使用して、前記第１チャネル信号を受信する呼出区間及び前記呼出区間のそれぞれにおいて前記呼出表示を受信する時点を計算し、前記呼出区間のそれぞれの前記呼出表示を受信する時点において前記呼出表示を受信するように制御する制御器と、
前記制御器の制御に従って前記呼出区間のそれぞれの前記呼出表示を受信する時点のそれぞれにおいて前記呼出表示を受信し、前記受信された呼出表示が前記呼出情報の存在を示す場合、予め設定された設定時間の後、第２チャネルを受信することによって前記呼出情報を受信するように制御する受信器と、
を含むことを特徴とする装置。
【請求項１１】
前記パラメータは、前記第１チャネルを通して送信される、呼出表示を伝送する呼出区間に関連した係数、及び前記第２サービスを示す識別子を含む請求項１０記載の装置。
【請求項１２】
前記第１チャネルは呼出表示チャネルであり、前記第２チャネルは呼出チャネルである請求項１０記載の装置。
【請求項１３】
前記パラメータは、前記第１チャネルを通して送信される、呼出表示を伝送する呼出区間に関連した係数、前記第２サービスを示す識別子、及び前記呼出区間の伝送開始時点を示す活性化時間を含む請求項１０記載の装置。
【請求項１４】
前記受信器は、前記活性化時間から前記呼出区間のそれぞれの呼出表示を受信する時点のそれぞれにおいて前記呼出表示が前記呼出情報の存在を示す場合、前記予め設定された設定時間の後、前記第２チャネルを受信することによって前記呼出情報を受信する請求項１３記載の装置。
【請求項１５】
前記パラメータは、前記第１チャネルを通して送信される、呼出表示を伝送する呼出区間に関連した第１係数及び第２係数、前記第２サービスを示す識別子、及び前記呼出区間の伝送開始時点を示す活性化時間を含む請求項１０記載の装置。
【請求項１６】
前記制御器は、前記識別子及び第１係数を使用して前記呼出区間及び前記呼出区間のそれぞれにおいて前記呼出表示を受信する時点を計算し、前記識別子及び第２係数を使用して前記呼出区間及び前記呼出区間のそれぞれにおいて前記呼出表示を受信する時点を計算し、現在から前記活性化時間までは前記第１係数を使用して計算された呼出区間のそれぞれの呼出表示を受信する時点において第１チャネルを通して前記呼出表示を受信するように制御し、前記活性化時間からは前記第２係数を使用して計算された呼出区間のそれぞれの呼出表示を受信する時点において前記第１チャネルを通して前記呼出表示を受信するように制御する請求項１５記載の装置。
【請求項１７】
前記受信器は、前記活性化時間までは前記第１係数を使用して計算された呼出区間のそれぞれの呼出表示を受信する時点のそれぞれおいて前記呼出表示を受信し、前記呼出表示が前記呼出情報の存在を示す場合、前記予め設定された設定時間の後、前記第２チャネルを受信することによって前記呼出情報を受信し、前記活性化時間からは前記第２係数を使用して計算された呼出区間のそれぞれの呼出表示を受信する時点のそれぞれにおいて前記呼出表示を受信し、前記呼出表示が前記呼出情報の存在を示す場合、前記設定時間の後、前記第２チャネルを受信して前記呼出情報を受信する請求項１６記載の装置。
【請求項１８】
第１サービス及び前記第１サービスと異なる第２サービスを提供する移動通信システムで、前記第２サービスを提供する使用者端末機を呼び出す方法において、
前記第２サービスに関連した呼出情報の有無を示す呼出表示を含む第１チャネル信号の伝送と関連したパラメータを使用して、前記第１チャネル信号を受信する呼出区間、及び前記呼出区間のそれぞれにおいて前記呼出表示を受信する時点を計算する過程と、
前記呼出区間のそれぞれの前記呼出表示を受信する時点のそれぞれにおいて前記呼出表示を受信する過程と、
前記受信した呼出表示が前記呼出情報の存在を示す場合、予め設定された設定時間の後、第２チャネルを受信して前記呼出情報を受信する過程と、
を含むことを特徴とする方法。
【請求項１９】
前記パラメータは、前記第１チャネルを通して送信される、呼出表示を伝送する呼出区間と関連する係数、及び前記第２サービスを示す識別子を含む請求項１８記載の方法。
【請求項２０】
前記パラメータは、前記第１チャネルを通して送信される、呼出表示を伝送する呼出区間と関連した係数、前記第２サービスを示す識別子、及び前記呼出区間の伝送開始時点を示す活性化時間を含む請求項１８記載の方法。
【請求項２１】
前記呼出区間のそれぞれの前記呼出表示を受信する時点のそれぞれにおいて前記呼出表示を受信する過程は、前記活性化時間から前記呼出区間のそれぞれの呼出表示を受信する時点において前記呼出表示を受信することである請求項２０記載の方法。
【請求項２２】
前記パラメータは、前記第１チャネルを通して送信される、呼出表示を伝送する呼出区間と関連した第１係数及び第２係数、前記第２サービスを示す識別子、及び前記呼出区間の伝送開始時点を示す活性化時間を含む請求項１８記載の方法。
【請求項２３】
前記第１チャネル信号を受信する呼出区間及び前記呼出区間のそれぞれにおいて前記呼出表示を受信する時点を計算する過程は、前記識別子及び第１係数を使用して、前記呼出区間及び前記呼出区間のそれぞれにおいて前記呼出表示を受信する時点を計算し、前記識別子及び第２係数を使用して前記呼出区間及び前記呼出区間のそれぞれにおいて前記呼出表示を受信する時点を計算することである請求項２２記載の方法。
【請求項２４】
前記呼出区間のそれぞれの前記呼出表示を受信する時点のそれぞれにおいて前記呼出表示を受信する過程は、現在から前記活性化時間までは前記第１係数を使用して計算された呼出区間のそれぞれの呼出表示を受信する時点において前記第１チャネルを通して前記呼出表示を受信し、前記活性化時間からは前記第２係数を使用して計算された呼出区間のそれぞれの呼出表示を受信する時点において前記第１チャネルを通して前記呼出表示を受信する請求項２３記載の方法。
【発明の詳細な説明】
【技術分野】
【０００１】
本発明は、移動通信システムに関し、特に、マルチキャストマルチメディア放送サービスのための呼出装置及び方法に関する。
【背景技術】
【０００２】
最近、通信産業の発達に伴い、符号分割多重接続（Ｃｏｄｅ  Ｄｉｖｉｓｉｏｎ  Ｍｕｌｔｉｐｌｅ  Ａｃｃｅｓｓ：  以下、ＣＤＭＡと称する）移動通信システムによって提供されるサービスは、音声サービスだけでなくパケットデータ、サーキットデータなどのような大容量のデータを伝送するマルチキャスティングマルチメディア通信に発展している。従って、マルチキャスティングマルチメディア通信を支援するためのサービスとして、１つのデータソースが複数の使用者端末機（Ｕｓｅｒ  Ｅｑｕｉｐｍｅｎｔ：  以下、ＵＥと称する）にサービスを提供する放送／マルチキャストサービス（Ｂｒｏａｄｃａｓｔ／Ｍｕｌｔｉｃａｓｔ  Ｓｅｒｖｉｃｅ）がある。前記放送／マルチキャストサービスは、メッセージを主にサービスするセル放送サービス（Ｃｅｌｌ  Ｂｒｏａｄｃａｓｔ  Ｓｅｒｖｉｃｅ：  以下、ＣＢＳサービスと称する）と、実時間映像及び音声、停止映像、文字などのマルチメディアデータを支援するマルチキャストマルチメディア放送サービス（ＭＢＭＳ：  Ｍｕｌｔｉｍｅｄｉａ  Ｂｒｏａｄｃａｓｔ／Ｍｕｌｔｉｃａｓｔ  Ｓｅｒｖｉｃｅ：  以下、ＭＢＭＳと称する）に区分することができる。
以下、移動通信システムにおいて前記ＭＢＭＳサービスを提供するためのネットワーク構造を図１を参照して説明する。
【０００３】
図１は、移動通信システムにおいてＭＢＭＳサービスを提供するためのネットワーク構造を概略的に示す図である。
【０００４】
図１を参照すると、マルチキャスト／放送−サービスセンタ（Ｍｕｌｔｉｃａｓｔ／Ｂｒｏａｄｃａｓｔ−  Ｓｅｒｖｉｃｅ  Ｃｅｎｔｅｒ：  以下、ＢＭ−ＳＣと称する）１１０は、ＭＢＭＳストリーム（ｓｔｒｅａｍ）を提供するソース（ｓｏｕｒｃｅ）であり、前記ＢＭ−ＳＣ１１０は、ＭＢＭＳサービスに対するストリームをスケジューリング（ｓｃｈｅｄｕｌｉｎｇ）して伝送ネットワーク（ｔｒａｎｓｉｔ  Ｎ／Ｗ）１１１に伝達する。前記伝送ネットワーク１１１は、前記ＢＭ−ＳＣ１１０とサービスパケット無線サービス支援ノード（Ｓｅｒｖｉｎｇ  ＧＰＲＳ  Ｓｕｐｐｏｒｔ  Ｎｏｄｅ：  以下、ＳＧＳＮと称する）１００との間に存在するネットワーク（ｎｅｔｗｏｒｋ）であり、前記ＢＭ−ＳＣ１１０から伝達されたＭＢＭＳサービスに対するストリームを前記ＳＧＳＮ１００に伝達する。前記ＳＧＳＮ１００がゲートウェイパケット無線サービス支援ノード（Ｇａｔｅｗａｙ  ＧＰＲＳ  Ｓｕｐｐｏｒｔ  Ｎｏｄｅ：  以下、ＧＧＳＮと称する）及び外部ネットワークから構成されることができ、任意の時点で前記ＭＢＭＳサービスを受信しようとする複数のＵＥ、たとえば、第１基地局（  以下、Ｎｏｄｅ  Ｂ１と称する）１０２に属するＵＥ１（１０４）、ＵＥ２（１０５）、ＵＥ３（１０６）、及び第２基地局（  以下、Ｎｏｄｅ  Ｂ２と称する）１０３に属するＵＥ４（１０７）、ＵＥ５（１０８）が存在すると仮定する。前記伝送ネットワーク１１１からＭＢＭＳサービスに対するストリームを受信したＳＧＳＮ１００は、ＭＢＭＳサービスを受信しようとする加入者、つまり、ＵＥに対してＭＢＭＳ関連サービス制御を遂行する。例えば、前記ＭＢＭＳ関連サービス制御は、それぞれの加入者に対するＭＢＭＳサービス課金関連データの管理及びＭＢＭＳサービスデータの特定の無線ネットワーク制御器（Ｒａｄｉｏ  Ｎｅｔｗｏｒｋ  Ｃｏｎｔｒｏｌｌｅｒ：  以下、ＲＮＣと称する）（または、基地局制御器）１０１への選別的な伝送などを含む。さらに、前記ＳＧＳＮ１００は、前記ＭＢＭＳサービスＸに関してＳＧＳＮサービスコンテクスト（ＳＥＲＶＩＣＥ  ＣＯＮＴＥＸＴ）を構成して管理し、前記ＭＢＭＳサービスに対するストリームを前記ＲＮＣ１０１に伝達する。前記ＲＮＣ１０１は、複数の基地局（以下、Ｎｏｄｅ  Ｂと称する）を制御し、自分が管理しているＮｏｄｅ  ＢのうちＭＢＭＳサービスを要求するＵＥが存在するＮｏｄｅ  ＢにＭＢＭＳサービスデータを伝送する。また、前記ＲＮＣ１０１は、前記ＭＢＭＳサービスを提供するために設定される無線チャネル（ｒａｄｉｏ  ｃｈａｎｎｅｌ）を制御し、前記ＳＧＳＮ１００から提供されるＭＢＭＳサービスストリームを使用して前記ＭＢＭＳサービスＸに関してＲＮＣサービスコンテクストを構成して管理する。図１に示すように、１つのＮｏｄｅ  Ｂ、例えば、Ｎｏｄｅ  Ｂ１０２と前記Ｎｏｄｅ  Ｂ１０２に属するＵＥ１０４、１０５、１０６との間には、ＭＢＭＳサービスを提供するために１つの無線チャネルのみが構成される。さらに、図１に図示されていないが、ホーム位置登録器（Ｈｏｍｅ  Ｌｏｃａｔｉｏｎ  Ｒｅｇｉｓｔｅｒ）は、前記ＳＧＳＮ１００と連結され、ＭＢＭＳサービスのための加入者認証を遂��する。
【０００５】
さらに、前述したように、前記ＲＮＣ１０１及び前記ＳＧＳＮ１００は、ＭＢＭＳサービス別にサービス関連情報を管理し、前記ＭＢＭＳサービス別に管理される関連情報を“ＭＢＭＳサービスコンテクスト”に定義する。例えば、前記ＭＢＭＳサービスコンテクストに貯蔵される情報としては、ＭＢＭＳサービスを受信しようとするＵＥのリスト、つまり、ＭＢＭＳサービスを受信しようとするＵＥのＵＥ識別子（ｉｄｅｎｔｉｆｉｅｒ）、前記ＵＥが位置しているサービス領域（ｓｅｒｖｉｃｅ  ａｒｅａ）、及びＭＢＭＳサービスを提供するために要求されるサービス品質（Ｑｕａｌｉｔｙ  ｏｆ  Ｓｅｒｖｉｃｅ：  以下、ＱｏＳと称する）などがある。
以下、ＭＢＭＳサービスを提供する過程を説明する。
【０００６】
前記ＭＢＭＳサービスを提供するためには、前記ＭＢＭＳサービスに対する基本情報がＵＥに伝達されるべきであり、前記ＭＢＭＳサービスに対する基本情報を受信したＵＥが前記ＭＢＭＳサービスの提供を要望する場合、前記ＭＢＭＳサービスを要求するＵＥのリストがネットワーク（ｎｅｔｗｏｒｋ）に伝達されるべきである。前記ＭＢＭＳサービスの提供を要望するＵＥのリストを受信すると、前記ネットワークは、前記ＵＥを呼び出して（ｐａｇｉｎｇ）前記ＭＢＭＳサービスを提供するための無線ベアラー（Ｒａｄｉｏ  Ｂｅａｒｅｒ）を設定すべきである。前記ネットワークと前記ＵＥとの間に無線ベアラーが設定された後、前記ネットワークは、前記設定された無線ベアラーを通して前記ＭＢＭＳサービスを提供する。一方、前記ＭＢＭＳサービスが終了すると、終了したことを全てのＵＥに通知すべきである。これによって、前記ＭＢＭＳサービスを受けている全てのＵＥは、正常的なＭＢＭＳサービスのために、前記ＭＢＭＳサービスのために割り当てられた全ての資源（ｒｅｓｏｕｒｃｅ）を解除（ｒｅｌｅａｓｅ）すべきである。
【０００７】
しかしながら、既存のＭＢＭＳサービスを提供する通信システムにおいては、前記ＭＢＭＳサービスを提供する過程、特に、ＵＥを呼び出す過程に関して具体的に法案を提供しない。従って、前記ＭＢＭＳサービスを受けるＵＥの呼び出すための法案が要求される。
【考案の開示】
【発明が解決しようとする課題】
【０００８】
従って、本発明の目的は、移動通信システムにおいてマルチキャストマルチメディア放送サービスのための呼出装置及び方法を提供することにある。
【０００９】
本発明の他の目的は、移動通信システムにおいて使用者端末機の電力消耗を最小化するマルチキャストマルチメディア放送サービスのための呼出装置及び方法を提供することにある。
【課題を解決するための手段】
【００１０】
このような目的を達成するための本発明は、第１サービス及び前記第１サービスと異なる第２サービスを提供する移動通信システムで、前記第２サービスを提供する使用者端末機を呼び出す装置を提供する。前記装置は、第２サービスに関連した呼出情報の有無を示す呼出表示を含む第１チャネル信号の伝送と関連したパラメータを使用して、前記第１チャネル信号を受信する呼出区間及び前記呼出区間のそれぞれにおいて前記呼出表示を受信する時点を計算し、前記呼出区間のそれぞれの前記呼出表示を受信する時点において前記呼出表示を受信するように制御する制御器と、前記制御器の制御に従って前記呼出区間のそれぞれの前記呼出表示を受信する時点のそれぞれにおいて前記呼出表示を受信し、前記受信された呼出表示が前記呼出情報の存在を示す場合、予め設定された設定時間の後、第２チャネルを受信することによって前記呼出情報を受信するように制御する受信器と、を含む。
【００１１】
このような目的を達成するための本発明は、第１サービス及び前記第１サービスと異なる第２サービスを提供する移動通信システムで、前記第２サービスを提供する使用者端末機を呼び出す方法を提供する。前記方法は、サービスパケット無線サービス支援ノードによって、使用者端末機の第２サービス要請に従って前記第２サービスを示す識別子、及び前記第２サービスに関連した呼出情報の有無を示す呼出表示を伝送する呼出区間と関連する係数を決定し、無線ネットワーク制御器に伝送する過程と、前記無線ネットワーク制御器によって、前記識別子及び係数を前記使用者端末機に伝送し、前記識別子及び係数を使用して前記呼出区間及び前記呼出区間のそれぞれにおいて前記呼出表示を伝送する時点を決定し、前記呼出区間のそれぞれの前記呼出表示を伝送する時点で第１チャネルを通して前記呼出表示を伝送することで、前記使用者端末機が前記呼出情報の有無を認識するように制御する過程と、からなる。
【発明の効果】
【００１２】
前述してきたように、本発明は、ＭＢＭＳサービスを提供する移動通信システムにおいてＭＢＭＳサービスのための呼出方法を提供する。さらに、前記ＭＢＭＳサービスのための呼出過程において、ＴＭＧＩ、ＤＲＸ係数及びＴ＿ｐａｇｉｎｇのような多様なパラメータを考慮してＵＥが呼出過程を遂行するようにすることによって、ＵＥの電力消耗を最小化するという利点がある。
【発明を実施するための最良の形態】
【００１３】
以下、本発明に従う好適な実施形態について添付図を参照しつつ詳細に説明する。下記の説明において、本発明の要旨のみを明確にする目的で、関連した公知機能または構成に関する具体的な説明は省略する。
【００１４】
図２は、本発明の第１実施形態による移動通信システムにおいてマルチキャストマルチメディア放送サービスを開示するための過程を示す信号フローチャートである。ここで、前記マルチキャストマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ：  以下、ＭＢＭＳと称する）を提供する移動通信システムの構造は、図１において説明した移動通信システムの構造と同一であると仮定する。
【００１５】
図２を参照すると、マルチキャスト／放送−サービスセンタ（Ｍｕｌｔｉｃａｓｔ／Ｂｒｏａｄｃａｓｔ−  Ｓｅｒｖｉｃｅ  Ｃｅｎｔｅｒ：  以下、ＢＭ−ＳＣと称する）１１０は、現在提供できるＭＢＭＳサービスに対する基本的な情報、例えば、メニュー情報（ＭＥＮＵ  ＩＮＦＯＲＭＡＴＩＯＮ）を前記ＭＢＭＳサービス加入者である使用者端末機（Ｕｓｅｒ  Ｅｑｕｉｐｍｅｎｔ：  以下、ＵＥと称する）に提供するために、サービス案内（ＳＥＲＶＩＣＥ  ＡＮＮＯＵＮＣＥＭＥＮＴ）メッセージを伝送する（段階２０１）。前記メニュー情報とは、特定のＭＢＭＳサービスの開始時間及び持続時間に関する情報を意味する。前記ＢＭ−ＳＣ１１０は、前記メニュー情報を予め設定されたサービス領域（ｓｅｒｖｉｃｅ  ａｒｅａ）に放送するか、つまり、セル放送サービス（Ｃｅｌｌ  Ｂｒｏａｄｃａｓｔ  Ｓｅｒｖｉｃｅ：  以下、ＣＢＳサービスと称する）のような放送サービスを通して放送するか、または、ＭＢＭＳサービスを要請するＵＥのみに前記メニュー情報を伝送することができる。前記メニュー情報を通して、前記ＢＭ−ＳＣ１１０は、各ＭＢＭＳのサービスを区分するためにＭＢＭＳサービス識別子（ＳＥＲＶＩＣＥ  ＩＤ）をＵＥに知らせる。説明の便宜のために、図２の説明において、前記ＭＢＭＳサービス加入者がＵＥ１０４であると仮定する。前記メニュー情報を受信すると、ＵＥ１０４は、前記メニュー情報からサービスの提供を要望する特定のＭＢＭＳサービスを選択し、前記選択されたＭＢＭＳサービスに対するＭＢＭＳサービス要請（ＳＥＲＶＩＣＥ  ＪＯＩＮ）メッセージを無線ネットワーク制御器（Ｒａｄｉｏ  Ｎｅｔｗｏｒｋ  Ｃｏｎｔｒｏｌｌｅｒ：  以下、ＲＮＣと称する）１０１に伝送する（段階２０３）。前記ＵＥ１０４から前記ＲＮＣ１０１に伝送される前記サービス要請メッセージは、前記選択されたＭＢＭＳサービスを示すＭＢＭＳサービス識別子、対応するＵＥを示すＵＥ識別子（ＩＤ）を含む（ＭＢＭＳ  ＳＥＲＶＩＣＥ  ＪＯＩＮ  ＝  ［ＭＢＭＳ  ＳＥＲＶＩＣＥ  ＩＤ，ＵＥ  ＩＤ］）。
【００１６】
前記ＵＥ１０４からＭＢＭＳサービス要請メッセージを受信すると、前記ＲＮＣ１０１は、前記ＭＢＭＳサービスを要請したＵＥ１０４のＵＥ識別子を前記ＲＮＣ１０１によって管理されるＭＢＭＳサービスコンテクスト（ＳＥＲＶＩＣＥ  ＣＯＮＴＥＸＴ）に貯蔵した後、サービスパケット無線サービス支援ノード（Ｓｅｒｖｉｎｇ  ＧＰＲＳ  Ｓｕｐｐｏｒｔ  Ｎｏｄｅ：  以下、ＳＧＳＮと称する）１００にＭＢＭＳサービス要請メッセージを送信する（段階２０５）。前記ＭＢＭＳサービスコンテクストは、任意のＭＢＭＳサービスを提供するために必要な制御情報の集合であり、前記ＭＢＭＳサービスコンテクストに貯蔵される情報としては、例えば、ＭＢＭＳサービスの提供を要望するＵＥのリスト、つまり、ＭＢＭＳサービスの提供を要望するＵＥのＵＥ識別子、前記ＵＥが位置しているサービス領域（ｓｅｒｖｉｃｅ  ａｒｅａ）及びＭＢＭＳサービスを提供するために要求されるサービス品質（Ｑｕａｌｉｔｙ  ｏｆ  Ｓｅｒｖｉｃｅ：  以下、ＱｏＳと称する）などがある。一方、前記ＲＮＣ１０１からＳＧＳＮ１００に伝送されるＭＢＭＳサービス要請メッセージは、前記ＭＢＭＳサービス識別子、ＵＥ識別子及び対応するＲＮＣ、つまり、ＲＮＣ１０１を示すＲＮＣ識別子を含む（ＭＢＭＳ  ＳＥＲＶＩＣＥ  ＪＯＩＮ  １  ＝  ［ＭＢＭＳ  ＳＥＲＶＩＣＥ  ＩＤ，ＵＥ  ＩＤ，ＲＮＣ  ＩＤ］）。前記ＲＮＣ１０１からＭＢＭＳサービス要請メッセージを受信すると、前記ＳＧＳＮ１００は、ＳＧＳＮ１００自体が管理するＭＢＭＳサービスコンテクストに前記ＵＥ識別子及びＲＮＣ識別子を貯蔵した後、前記ＭＢＭＳサービス要請メッセージを前記ＢＭ−ＳＣ１１０に伝送する（段階２０７）。前記ＳＧＳＮ１００からＢＭ−ＳＣ１１０に伝送されるＭＢＭＳサービス要請メッセージは、前記ＭＢＭＳサービス識別子及び対応するＳＧＳＮ、つまり、ＳＧＳＮ１００を示すＳＧＳＮ識別子を含む（ＭＢＭＳ  ＳＥＲＶＩＣＥ  ＪＯＩＮ  ２  ＝  ［ＭＢＭＳ  ＳＥＲＶＩＣＥ  ＩＤ，ＳＧＳＮ  ＩＤ］）。
【００１７】
前記ＳＧＳＮ１００からＭＢＭＳサービス要請メッセージを受信すると、前記ＢＭ−ＳＣ１１０は、前記ＢＭ−ＳＣ１１０が管理するＭＢＭＳサービスコンテクストに前記ＳＧＳＮ１００のＳＧＳＮ識別子を貯蔵する。それから、前記ＢＭ−ＳＣ１１０は、前記ＳＧＳＮ１００に前記ＭＢＭＳサービス要請メッセージに対する応答メッセージであるＭＢＭＳサービス要請応答（ＭＢＭＳ  ＳＥＲＶＩＣＥ  ＪＯＩＮ  ＲＥＳＰＯＮＳＥ）メッセージを伝送する（段階２０９）。前記ＳＧＳＮ１００は、前記ＢＭ−ＳＣ１１０から前記ＭＢＭＳサービス要請応答メッセージを受信すると、前記ＭＢＭＳサービス要請応答メッセージによって指定されたＭＢＭＳサービスに臨時マルチキャストグループ識別子（Ｔｅｍｐｏｒａｒｙ  Ｍｕｌｔｉｃａｓｔ  Ｇｒｏｕｐ  Ｉｄｅｎｔｉｔｙ：  以下、ＴＭＧＩと称する）を割り当て、不連続受信（Ｄｉｓｃｏｎｔｉｎｕｏｕｓ  Ｒｅｃｅｐｔｉｏｎ：  以下、ＤＲＸと称する）係数（ｃｏｅｆｆｉｃｉｅｎｔ）を決定する。それから、前記ＳＧＳＮ１００は、前記割り当てられたＴＭＧＩ及び前記決定されたＤＲＸ係数をＭＢＭＳサービス要請応答メッセージに含めて前記ＲＮＣ１０１に伝送する（ＭＢＭＳ  ＪＯＩＮ  ＲＥＳＰＯＮＳＥ  １  ＝  ［ＭＢＭＳ  ＳＥＲＶＩＣＥ  ＩＤ，ＴＭＧＩ，ＤＲＸ  ｃｏｅｆｆｉｃｉｅｎｔ］）（段階２１１）。前記ＴＭＧＩ及び前記ＤＲＸ係数は、後で説明する。
【００１８】
前記ＲＮＣ１０１は、前記ＳＧＳＮ１００からＭＢＭＳサービス要請応答メッセージを受信すると、前記受信されたＭＢＭＳサービス要請応答メッセージに含まれているＭＢＭＳサービス識別子に対応するＭＢＭＳサービスを要請したＵＥ、つまり、ＵＥ１０４に前記ＭＢＭＳサービス識別子、ＴＭＧＩ及びＤＲＸ係数をＭＢＭＳサービス要請応答メッセージに含めて伝送する（ＭＢＭＳ  ＪＯＩＮ  ＲＥＳＰＯＮＳＥ  ＝  ［ＭＢＭＳ  ＳＥＲＶＩＣＥ  ＩＤ，ＴＭＧＩ，ＤＲＸ  ｃｏｅｆｆｉｃｉｅｎｔ］）（段階２１３）。前記ＲＮＣ１０１及び前記ＵＥ１０４両方ともが前記ＴＭＧＩ及び前記ＤＲＸ係数を認知した状態において、前記ＵＥ１０４は、前記ＵＥ１０４が要請したＭＢＭＳサービスに対する呼出（ｐａｇｉｎｇ）が発生しているかどうかを呼出表示チャネル（Ｐａｇｉｎｇ  Ｉｎｄｉｃａｔｏｒ  Ｃｈａｎｎｅｌ：  以下、ＰＩＣＨと称する）を監視して確認する（段階２１５）。ここで、前記ＵＥ１０４は、前記ＤＲＸ係数を使用して計算された設定周期ＤＲＸ＿ＣＬ毎に前記ＰＩＣＨを監視する。前記ＰＩＣＨ監視の結果、呼出チャネル（Ｐａｇｉｎｇ  Ｃｈａｎｎｅｌ：  以下、ＰＣＨと称する）を受信すべきであると判断される場合、前記ＵＥ１０４はＰＣＨを受信する。前記ＰＣＨを通して前記ＭＢＭＳサービスに関連した呼出メッセージであるＭＢＭＳサービス通知（ＭＢＭＳ  ＳＥＲＶＩＣＥ  ＮＯＴＩＦＹ）メッセージが伝送される。前記呼出に関連した詳細は後で説明する。
【００１９】
以下、前記ＴＭＧＩ及び前記ＤＲＸ係数に関して説明する。
【００２０】
第１に、前記ＴＭＧＩに関して説明する。前記ＴＭＧＩは、対応するＳＧＳＮによってそれぞれのＭＢＭＳサービスに１つずつ割り当てられる臨時識別子である。前記ＴＭＧＩは、特定のＭＢＭＳサービスに対するＭＢＭＳサービスコンテクストが最初に生成される時に割り当てられ、前記ＴＭＧＩを有するＭＢＭＳサービスが終了する時に削除される。前記ＴＭＧＩの割り当てにおいては、特別な規則はないが、１つのＳＧＳＮは１つのＭＢＭＳサービスに固有のＴＭＧＩを割り当てるべきである。
【００２１】
第２に、前記ＤＲＸ係数に関して説明する。前記ＤＲＸ係数は、前記ＰＩＣＨ監視のための設定周期ＤＲＸ＿ＣＬを計算するために使用される。例えば、本発明は、３以上で９未満である整数のうち１つの整数として前記ＤＲＸ係数を決定する（式（１））。
【００２２】
【数式１】
2004166211.tif 000003
【００２３】
前記ＳＧＳＮ１００は、特定のＭＢＭＳサービスに対してシステム状態に適した設定周期ＤＲＸ＿ＣＬが設定されるように前記ＤＲＸ係数を決定する。例えば、前記ＤＲＸ係数は、セル内のＵＥの個数によって決定されることができる。この場合、無線環境を考慮してＤＲＸ係数を決定することができる。つまり、ＤＲＸ係数を現在のチャネル状況によって決定されることができる。ＤＲＸ＿ＣＬの値は、ＤＲＸ係数と同一であることも、異なることもある。もちろん、ＤＲＸ係数値またはＤＲＸ＿ＣＬ値は、システム状況によって可変的に決定されることができる。
【００２４】
一方、前記ＢＭ−ＳＣ１１０は、前記ＳＧＳＮ１００にＭＢＭＳサービス通知メッセージを伝送することによってＭＢＭＳサービスがまもなく開始することを通知する（段階２１７）。前記ＢＭ−ＳＣ１１０から前記ＳＧＳＮ１００に伝送されるＭＢＭＳサービス通知メッセージは、まもなく開始されるＭＢＭＳサービスのサービス識別子を含む（ＭＢＭＳ  ＳＥＲＶＩＣＥ  ＮＯＴＩＦＹ  ２  ＝  ［ＭＢＭＳ  ＳＥＲＶＩＣＥ  ＩＤ］）。前記ＳＧＳＮ１００は、前記ＢＭ−ＳＣ１１０からＭＢＭＳサービス通知メッセージを受信すると、前記ＲＮＣ１０１に前記ＭＢＭＳサービスがまもなく開始することを示すＭＢＭＳサービス通知メッセージを伝送する（段階２１９）。前記ＳＧＳＮ１００から前記ＲＮＣ１０１に伝送されるＭＢＭＳサービス通知メッセージは、ＭＢＭＳサービスを示す前記割り当てられたＴＭＧＩを含む（ＭＢＭＳ  ＳＥＲＶＩＣＥ  ＮＯＴＩＦＹ  １  ＝  ［ＴＭＧＩ］）。前記ＲＮＣ１０１は、前記ＭＢＭＳサービス通知メッセージを受信すると、前記受信されたＭＢＭＳサービス通知メッセージに含まれているＴＭＧＩに対応するＭＢＭＳサービスを要請したＵＥ、つまり、ＵＥ１０４に、要請されたＭＢＭＳサービスがまもなく開始することを示すＭＢＭＳサービス通知メッセージを伝送する（段階２２１）。前記ＲＮＣ１０１から前記ＵＥ１０４に伝送されるＭＢＭＳサービス通知メッセージも前記ＴＭＧＩを含む（ＭＢＭＳ  ＳＥＲＶＩＣＥ  ＮＯＴＩＦＹ  ＝  ［ＴＭＧＩ］。前記ＲＮＣ１０１は、前記ＭＢＭＳサービス通知メッセージの伝送において、前記ＴＭＧＩに対応するＭＢＭＳサービスに割り当てられた呼出区間（ｐａｇｉｎｇ  ｏｃｃａｓｉｏｎ）の呼出表示（ｐａｇｉｎｇ  ｉｎｓｔａｎｃｅ）を利用することによって、前記ＭＢＭＳサービス通知メッセージがＰＣＨを通して伝送されることをＵＥに知らせる。前記呼出区間は、本発明によって提案されるＵＥのＤＲＸ周期と共に伝送されることも、一般的な呼出表示チャネルの周期を利用して伝送されることもできる。
【００２５】
前記呼出区間は、呼出メッセージであるＭＢＭＳサービス通知メッセージが伝送されるか否かを示すインジケータ、つまり、呼出表示を伝送する区間を示す。前記ＭＢＭＳサービス通知メッセージの送受信過程に関しては、後で説明する。
【００２６】
前記ＵＥ１０４は、前記要請されたＭＢＭＳサービスが開始されることを意味する前記ＭＢＭＳサービス通知メッセージを受信すると、前記ＭＢＭＳサービス通知メッセージに対する応答メッセージ、つまり、呼出応答（ＰＡＧＩＮＧ  ＲＥＳＰＯＮＳＥ）メッセージを伝送すると同時に、無線ベアラー（Ｒａｄｉｏ  Ｂｅａｒｅｒ）をセットアップ（ｓｅｔｕｐ）する（段階２２３）。前記無線ベアラーがセットアップされると、前記ＢＭ−ＳＣ１１０は、前記セットアップされた無線ベアラーを通して対応するＭＢＭＳサービスデータを伝送することによってＭＢＭＳサービスを提供する（段階２２５）。前記ＭＢＭＳサービスを提供するうちに前記ＭＢＭＳサービスが終了すると、前記ＵＥ１０４は、前記セットアップされた無線ベアラーのような資源（ｒｅｓｏｕｒｃｅ）を解除（ｒｅｌｅａｓｅ）する（ＥＮＤ  ＯＦ  ＭＢＭＳ  ＳＥＲＶＩＣＥ）（段階２２７）。
【００２７】
前記呼出過程（ｐａｇｉｎｇ  ｐｒｏｃｅｄｕｒｅ）を説明すると以下のようである。前記呼出過程は、ネットワークが特定のＵＥを呼び出す諸過程を意味する。前記ネットワークは、ＵＥを呼び出す時、ＵＥの電力消耗を最小化するために、ＤＲＸ方式を使用する。前記ＤＲＸ方式において、前記ＵＥは、呼出メッセージを受信するために受信器をターンオン（ｔｕｒｎ  ｏｎ）する時点をネットワークと予め設定し、前記設定時点のみで呼出メッセージを受信する。前記ＵＥは、前記ＤＲＸ方式を使用することによって、ネットワークと予め設定した時点のみで前記受信器をターンオンし、前記設定した時点の以外の時点では前記受信器をターンオフ（ｔｕｒｎ  ｏｆｆ）することによって、電力消耗を最小化する。より具体的に説明すると、呼出区間の間にＰＩＣＨを受信し、ＰＩＣＨの対応する呼出表示が“１”に設定されている場合、前記ＵＥは、ＰＣＨを通して伝達される呼出メッセージを受信する。ここで、前記呼出区間に対応するシステムフレーム番号（Ｓｙｓｔｅｍ  Ｆｒａｍｅ  Ｎｕｍｂｅｒ：  以下、ＳＦＮと称する）は、式（２）のように計算される。
【００２８】
【数式２】
2004166211.tif 000004
【００２９】
式（２）において、前記ＳＦＮ（ＰＯ）は、８１９１未満の値を有し、ＴＭＧＩ＿Ｋ＝ＴＭＧＩ  ｄｉｖ  Ｋであり、ＤＲＸ＿ＣＬ＝２ＤＲＸ＿ｃｏｅｆｆｉｃｉｅｎｔであり、ＰＯは、前記呼出区間を示す。さらに、前記ＳＦＮは、０と８１９１との間で反復的に増加する整数であり、１つのシステムフレームは、１０ｍｓｅｃの周期を有する。また、ＴＭＧＩ＿Ｋの計算に使用されるＫは、対応するセル（ｃｅｌｌ）に構成されている第２共通制御物理チャネル（Ｓｅｃｏｎｄａｒｙ−Ｃｏｍｍｏｎ  Ｃｏｎｔｒｏｌ  Ｐｈｙｓｉｃａｌ  Ｃｈａｎｎｅｌ：  以下、Ｓ−ＣＣＰＣＨと称する）／ＰＣＨの個数を示す。ここで、前記Ｓ−ＣＣＰＣＨ／ＰＣＨは、ＰＣＨとして使用されるＳ−ＣＣＰＣＨを意味する。数１に示すように、呼出区間は、ＤＲＸ＿ＣＬの周期で繰り返されるＳＦＮの集合になる。
【００３０】
ここで、図３を参照して前記呼出区間を説明する。
【００３１】
図３は、移動通信システムの呼出区間を概略的に示す図である。図３を参照すると、特定のＭＢＭＳサービスに割り当てられたＤＲＸ係数が６である場合（ＤＲＸ  ｃｏｅｆｆｉｃｉｅｎｔ  ＝  ６）、前記ＭＢＭＳサービスのＤＲＸ＿ＣＬは、前述したように６４になる（ＤＲＸ＿ＣＬ  ＝  ６４）。さらに、前記ＭＢＭＳサービスに割り当てられたＴＭＧＩが１０００であり（ＴＭＧＩ  ＝  １０００）、Ｋ＝１である場合は、前記ＭＢＭＳサービスの呼出区間は、以下のようなＳＦＮの集合によって表現される。
【００３２】
ＳＦＮ（ＰＯ）  ＝  ［１０００  ｍｏｄ  ６  ＝  ４，１０００  ｍｏｄ  ６  ＋  ６４  ＝  ６８，１０００  ｍｏｄ  ６  ＋  ６４＊２  ＝  １３２，…  ，１０００  ｍｏｄ  ６  ＋  ６４＊１２７  ＝  ８１３２］
【００３３】
前記決定された呼出区間は、図３のＳＦＮ軸３０１に矢印によって表示される。つまり、ＳＦＮ＝４，６８，１３２，…，８１３２である地点３０３が前記呼出区間になる。前記呼出区間は、対応するＭＢＭＳサービスの呼出表示を含むＰＩＣＨのＳＦＮを意味する。特定の呼出区間内で呼出表示は、対応するＭＢＭＳサービスの提供を要望するＵＥがＰＣＨを通して伝送される呼出メッセージを受信すべきであるか否かを示し、特定のＭＢＭＳサービスと呼出表示との間の対応関係は式（３）のように表現される。
【００３４】
【数式３】
2004166211.tif 000005
【００３５】
式（３）において、ＰＩは、呼出表示を示し、Ｎｐは、［１８、３６、７２、１４４］  の集合のうち１つの整数で、システム情報（ＳＩ：  Ｓｙｓｔｅｍ  Ｉｎｆｏｒｍａｔｉｏｎ）として定義される。前記Ｎｐは、１つのシステムフレームにいくつの呼出表示が存在するかを示す。例えば、図３において、Ｎｐが１８であるケース（３０５）が示してある。ＴＭＧＩ＝１０００の場合、対応するＭＢＭＳサービスのＤＲＸインデックス（Ｉｎｄｅｘ）が０であるので、前記ＭＢＭＳサービスに対応する呼出表示は０番目の呼出表示である。
【００３６】
従って、前記ＭＢＭＳサービスの提供を要望するＵＥは、ＰＩＣＨの呼出区間に対応するシステムフレームの０番目の呼出表示を分析し、前記呼出表示が“１”に設定される場合、前記ＵＥは、関連Ｓ−ＣＣＰＣＨ（ａｓｓｏｃｉａｔｅｄ  Ｓ−ＣＣＰＣＨ）フレームの呼出メッセージを受信し、ＵＥ自体のための呼出メッセージが存在するか否かを確認する。前記０番目の呼出表示が“０”に設定される場合、対応するＵＥは、次の呼出区間まで待機した後、再びシステムフレームの０番目の呼出表示を分析する過程を遂行する。ここで、前記関連Ｓ−ＣＣＰＣＨは、ＰＣＨがマッピング（ｍａｐｐｉｎｇ）される物理チャネルを意味し、関連Ｓ−ＣＣＰＣＨフレームは、ＰＩＣＨより以前に設定された時間の後に開始した１つのシステムフレームの間に持続されるＳ−ＣＣＰＣＨを意味する。任意の呼出表示は“１”に設定されている場合、ＵＥは、前記呼出表示の関連Ｓ−ＣＣＰＣＨフレームを全て受信し、ＵＥ自体に対応する呼出メッセージが存在するか否かを確認すべきである。図３は、ＳＦＮ６８のＰＩＣＨの関連Ｓ−ＣＣＰＣＨフレーム３０７を示す。
【００３７】
ここで、本発明の第１実施形態を要約して説明すると、以下のようである。
【００３８】
特定のＭＢＭＳサービスに対する要請が発生すると、ＳＧＳＮ１００が前記要請されたＭＢＭＳサービスに対するＴＭＧＩ及びＤＲＸ係数を決定し、前記決定されたＴＭＧＩ及びＤＲＸ係数を前記ＭＢＭＳサービスを受ける予定のＲＮＣ及びＵＥ、つまり、ＲＮＣ１０１及びＵＥ１０４に通知する。そうすると、前記ＲＮＣ１０１及び前記ＵＥ１０４は、前記ＳＧＳＮ１００によって通知されたＴＭＧＩ及びＤＲＸ係数を利用して呼出区間及び呼出表示を計算する。前記ＲＮＣ１０１は、ＭＢＭＳサービス通知メッセージをＰＣＨを通して伝送する前に、ＰＩＣＨの呼出区間の呼出表示を“１”に設定して、前記ＭＢＭＳサービスの提供を要望するＵＥがＰＣＨを通して伝送されるＭＢＭＳサービス通知メッセージを受信することを可能にする。それから、前記ＲＮＣ１０１は、前記“１”に設定された呼出表示の属する呼出区間の関連Ｓ−ＣＣＰＣＨフレームを通して前記ＭＢＭＳサービス通知メッセージを伝送する。従って、前記ＵＥ１０４は、呼出区間毎にＰＩＣＨの呼出表示を分析し、呼出表示が“１”に設定されていると判断されると、前記呼出区間の関連Ｓ−ＣＣＰＣＨフレームを受信し、ＵＥ１０４自体が受けようとするＭＢＭＳサービスと関連したＭＢＭＳサービス通知メッセージが存在するか否かを確認する。
【００３９】
次に、本発明の第２実施形態を説明する。本発明の第２実施形態において、特定のＭＢＭＳサービスに対する開始時点が予め通知されている場合、前記サービス開始時点近所の時点からＰＩＣＨを監視して呼出過程によって発生するＵＥの電力消耗を最小化する。
【００４０】
本発明の第２実施形態による呼出過程を図４を参照して説明する。
【００４１】
図４は、本発明の第２実施形態による移動通信システムにおいてＭＢＭＳサービスを開始するための過程を示す信号フローチャートである。
【００４２】
図４を参照すると、段階４０１乃至段階４０７の過程は、図２において説明した段階２０１乃至段階２０７の過程と同一であるので、詳細な説明は省略する。段階４０１乃至段階４０７の過程を通して、特定のＭＢＭＳサービスの提供を要望するＵＥ、つまり、ＭＢＭＳサービスを要請したＵＥ、例えば、ＵＥ１０４のリストは、ＳＧＳＮ１００及びＲＮＣ１０１のＭＢＭＳサービスコンテクストに貯蔵される。それから、前記ＢＭ−ＳＣ１１０は、前記ＭＢＭＳサービス要請メッセージに対する応答メッセージであるＭＢＭＳサービス要請応答メッセージを前記ＳＧＳＮ１００に伝送する（段階４０９）。前記ＢＭ−ＳＣ１１０から前記ＳＧＳＮ１００に伝送されるＭＢＭＳサービス要請応答メッセージは、ＭＢＭＳサービス識別子、ＭＢＭＳサービス通知メッセージ伝送時点である“Ｔ＿ｐａｇｉｎｇ”を含む（ＭＢＭＳ  ＪＯＩＮ  ＲＥＳＰＯＮＳＥ  ２  ＝  ［ＭＢＭＳ  ＳＥＲＶＩＣＥ  ＩＤ，Ｔ＿ｐａｇｉｎｇ］）。前記Ｔ＿ｐａｇｉｎｇは、前記ＢＭ−ＳＣ１１０の前記ＭＢＭＳサービス開始時間と密接な関連を有するＭＢＭＳサービス通知メッセージ伝送時点であり、前記Ｔ＿ｐａｇｉｎｇは、多様なフォーマットによって表現されることができる。例えば、前記Ｔ＿ｐａｇｉｎｇは、“ｈｈ  ：  ｍｍ  ：  ｓｓ”のフォーマットによって表現されることができ、ここで、ｈｈは時を、ｍｍは分を、ｓｓは秒を示す。前記ＭＢＭＳサービス通知メッセージ伝送時点は、実際ＭＢＭＳサービス開始時点より先行する時点として決定され、前記ＢＭ−ＳＣ１１０は、前記Ｔ＿ｐａｇｉｎｇを予めスケジューリング（ｓｃｈｅｄｕｌｉｎｇ）することができる。さらに、前記ＢＭ−ＳＣ１１０が前記Ｔ＿ｐａｇｉｎｇを正確に決定することができない場合、前記ＢＭ−ＳＣ１１０は、前記Ｔ＿ｐａｇｉｎｇとしてスケジューリングできる時点から最も先行する時点を選択することができる。例えば、前記ＢＭ１１０は、前記ＭＢＭＳサービス通知メッセージに対する伝送予想時間が１５：３０：００〜１７：３０：３０である場合、前記スケジューリングされた時点のうち最も先行する時間である１５：３０：００をＴ＿ｐａｇｉｎｇとして選択する。
【００４３】
前記ＢＭ１１０からＭＢＭＳサービス要請応答メッセージを受信すると、ＳＧＳＮ１００は、前記ＭＢＭＳサービスに対するＴＭＧＩ及びＤＲＸ係数を決定し、前記決定されたＴＭＧＩ及びＤＲＸ係数と共に、前記ＢＭ１１０から受信されたＴ＿ｐａｇｉｎｇ及び対応するＭＢＭＳサービス識別子を含むＭＢＭＳサービス通知メッセージをＲＮＣ１０１に伝送する（ＭＢＭＳ  ＪＯＩＮ  ＲＥＳＰＯＮＳＥ  １  ＝  ［ＭＢＭＳ  ＳＥＲＶＩＣＥ  ＩＤ，ＴＭＧＩ，ＤＲＸ  ｃｏｅｆｆｉｃｉｅｎｔ，Ｔ＿ｐａｇｉｎｇ］）（段階４１１）。前記ＲＮＣ１０１は、前記ＭＢＭＳサービス要請応答メッセージを受信すると、呼出区間、呼出表示及び活性化時間（ａｃｔｉｖａｔｉｏｎ  ｔｉｍｅ）を決定した後、ＭＢＭＳサービス要請応答メッセージをＵＥ１０４に伝送する（段階４１３）。前記ＲＮＣ１０１からＵＥ１０４に伝送されるＭＢＭＳサービス要請応答メッセージは、前記ＭＢＭＳサービス識別子、ＴＭＧＩ、ＤＲＸ係数及び活性化時間を含む（ＭＢＭＳ  ＪＯＩＮ  ＲＥＳＰＯＮＳＥ  ＝  ［ＭＢＭＳ  ＳＥＲＶＩＣＥ  ＩＤ，ＴＭＧＩ，ＤＲＸ  ｃｏｅｆｆｉｃｉｅｎｔ，Ａｃｔｉｖａｔｉｏｎ  ｔｉｍｅ］）。前記活性化時間は、ＭＢＭＳサービス要請応答メッセージの伝送時点とＴ＿ｐａｇｉｎｇとの間の差を１０ｍｓｅｃ単位で表現された整数値である。例えば、前記活性化時間が５０に設定されている場合（ａｃｔｉｖａｔｉｏｎ  ｔｉｍｅ  ＝  ５０）、前記ＭＢＭＳサービス要請応答メッセージが伝送された後、５０＊１０ｍｓｅｃ以後の時点でＭＢＭＳサービス通知メッセージが伝送されることを意味する。
【００４４】
前記ＲＮＣ１０１からＭＢＭＳサービス要請応答メッセージを受信すると、前記ＵＥ１０４は、以下のような動作を遂行する（段階４１５）。
【００４５】
（１）前記ＵＥ１０４は、活性化時間をカウンタ（ｃｏｕｎｔｅｒ）“Ｔ＿ＭＢＭＳ＿ＰＡＧＩＮＧ”に貯蔵し、１０ｍｓｅｃ毎に１ずつ減少させる。
【００４６】
（２）前記ＵＥ１０４は、ＴＭＧＩ及びＤＲＸ係数を利用することによって、本発明の第１実施形態において説明した方式で呼出区間及び呼出表示を計算する。
【００４７】
（３）前記カウンタＴ＿ＭＢＭＳ＿ＰＡＧＩＮＧの値が０になると、前記ＵＥ１０４は、前記計算された呼出区間及び呼出表示を監視する動作、つまり、本発明の第１実施形態において説明したＭＢＭＳ呼出過程と同一の動作を遂行する。
【００４８】
（４）特定の呼出区間の呼出表示が１である場合、前記ＵＥ１０４は、前記呼出区間の関連Ｓ−ＣＣＰＣＨフレームを受信することによって、ＵＥ１０４自体に対応するＭＢＭＳサービス通知メッセージを受信する。
【００４９】
本発明の第２実施形態において、前記ＢＭ−ＳＣ１１０がＴ＿ｐａｇｉｎｇを提供する場合を仮定して説明する。これとは異なって、前記ＢＭ−ＳＣ１１０が前記Ｔ＿ｐａｇｉｎｇを提供しない場合、前記ＵＥ１０４は、前記サービス案内メッセージ伝送過程において獲得したサービス開始時間を前記ＲＮＣ１０１に通報して、前記ＲＮＣ１０１が活性化時間（ａｃｔｉｖａｔｉｏｎ  ｔｉｍｅ）を決定するようにすることができる。つまり、前記ＵＥ１０４が前記サービス案内メッセージから検出されたＭＢＭＳサービス開始時点“ＭＢＭＳ  ＳＥＲＶＩＣＥ  ＳＴＡＲＴ  ＴＩＭＥ”をＲＮＣ１０１に通報すると、前記ＲＮＣ１０１は、前記ＭＢＭＳサービス開始時点を利用してＴ＿ｐａｇｉｎｇを決定することができる。Ｔ＿ｐａｇｉｎｇを決定する過程は以下のように表現される。
【００５０】
Ｔ＿ｐａｇｉｎｇ  ＝  ＭＢＭＳ  ＳＥＲＶＩＣＥ  ＳＴＡＲＴ  ＴＩＭＥ  −  Ｔ＿ＮＯＴＩＦＹ
【００５１】
ここで、前記Ｔ＿ＮＯＴＩＦＹは、前記ＭＢＭＳサービス開始時点及び前記ＭＢＭＳサービス通知メッセージ伝送時点との間の時間差であり、前記ＲＮＣ１０１に予め与えられることができる。前記ＲＮＣ１０１は、前記計算されたＴ＿ｐａｇｉｎｇを利用して活性化時間を計算し、前記活性化時間をＵＥ１０４に通知する。
【００５２】
図４の段階４１７乃至段階４２７の過程は、図２において説明した段階２１７乃至段階２２７の過程と同一であるので、詳細な説明は省略する。
【００５３】
次に、図５を参照して本発明の第３実施形態を説明する。本発明の第３実施形態は、Ｔ＿ｐａｇｉｎｇを基準にして相違なるＤＲＸ＿ＣＬを適用する法案を提案する。本発明の第３実施形態において、相違なるＤＲＸ＿ＣＬを適用する理由は、以下のようである。本発明の第２実施形態において、ＵＥは、Ｔ＿ｐａｇｉｎｇ時点まで呼出過程のために受信器をターンオンする必要がないので、電力消耗を最小化することができる。しかしながら、前記ネットワークは、前記ＵＥを呼び出すことができない。つまり、本発明の第３実施形態は、Ｔ＿ｐａｇｉｎｇまで比較的に長いＤＲＸ＿ＣＬを設定して、ＵＥ受信器が長い周期毎に１回ずつターンオンされて呼出過程を遂行するようにし、前記Ｔ＿ｐａｇｉｎｇの後はＤＲＸ＿ＣＬを比較的に短く設定して、ＵＥ受信器が短い周期毎に１回ずつターンオンされて呼出過程を遂行するようにする方法を提供する。
【００５４】
図５は、本発明の第３実施形態による移動通信システムにおいてＭＢＭＳサービスを開始するための過程を示す信号フローチャートである。
【００５５】
図５の説明において、Ｔ＿ｐａｇｉｎｇ時点まで適用されるＤＲＸ係数を第１ＤＲＸ係数（ＤＲＸ  ｃｏｅｆｆｉｃｉｅｎｔ＿１）と定義し、Ｔ＿ｐａｇｉｎｇ時点の後に適用されるＤＲＸ係数を第２ＤＲＸ係数（ＤＲＸ  ｃｏｅｆｆｉｃｉｅｎｔ＿２）と定義する。
【００５６】
図５を参照すると、段階５０１乃至段階５０７の過程は、図２の段階２０１乃至段階２０７、図４の段階４０１乃至段階４０７の過程と同一の動作を遂行するので、詳細な説明は省略する。また、図５の段階５０９は、図４の段階４０９と同一の動作を遂行するので、詳細な説明は省略する。段階５０９までの過程を完了した後、ＳＧＳＮ１００は、前記ＭＢＭＳサービスに対するＴＭＧＩ、第１ＤＲＸ係数、及び第２ＤＲＸ係数を決定した後、前記決定されたＴＭＧＩ、第１ＤＲＸ係数、及び第２ＤＲＸ係数と共に、前記ＢＭ−ＳＣ１１０から受信されたＴ＿ｐａｇｉｎｇ及び前記ＭＢＭＳサービスを示すＭＢＭＳサービス識別子を含むＭＢＭＳサービス要請応答メッセージをＲＮＣ１０１に伝送する（ＭＢＭＳ  ＪＯＩＮ  ＲＥＳＰＯＮＳＥ  １  ＝  ［ＭＢＭＳ  ＳＥＲＶＩＣＥ  ＩＤ，ＴＭＧＩ，ＤＲＸ  ｃｏｅｆｆｉｃｉｅｎｔ＿１／＿２，Ｔ＿ｐａｇｉｎｇ］）（段階５１１）。
【００５７】
前記ＳＧＳＮ１００からＭＢＭＳサービス要請応答メッセージを受信すると、ＵＥ１０４は、活性化時間、第１呼出区間（ｐａｇｉｎｇ  ｏｃｃａｔｉｏｎ＿１）、第２呼出区間（ｐａｇｉｎｇ  ｏｃｃａｔｉｏｎ＿２）、及び呼出表示を決定した後、ＭＢＭＳサービス要請応答メッセージをＵＥ１０４に伝送する（段階５１３）。前記ＲＮＣ１０１からＵＥ１０４に伝送されるＭＢＭＳサービス要請応答メッセージは、ＭＢＭＳサービス識別子、ＴＭＧＩ、ＤＲＸ係数、及び活性化時間を含む（ＭＢＭＳ  ＪＯＩＮ  ＲＥＳＰＯＮＳＥ  ＝  ［ＭＢＭＳ  ＳＥＲＶＩＣＥ  ＩＤ，ＴＭＧＩ，ＤＲＸ  ｃｏｅｆｆｉｃｉｅｎｔ、ａｃｔｉｖａｔｉｏｎ  ｔｉｍｅ］）。前記第１呼出区間（ｐａｇｉｎｇ  ｏｃｃａｔｉｏｎ＿１）は、第１ＤＲＸ係数を利用して計算された呼出区間であり、第２呼出区間（ｐａｇｉｎｇ  ｏｃｃａｔｉｏｎ＿２）は、第２ＤＲＸ係数を利用して計算された呼出区間である。
【００５８】
前記ＲＮＣ１０１からＭＢＭＳサービス要請応答メッセージを受信すると、ＵＥ１０４は、以下のような動作を遂行する（段階５１５）。
【００５９】
（１）前記ＵＥ１０４は、活性化時間をカウンタ“Ｔ＿ＭＢＭＳ＿ＰＡＧＩＮＧ”に貯蔵し、１０ｍｓｅｃ毎に１ずつ減少させる。
【００６０】
（２）前記ＵＥ１０４は、ＴＭＧＩ及び第１ＤＲＸ係数を利用することによって、本発明の第１実施形態と同一の方法で第１呼出区間（ｐａｇｉｎｇ  ｏｃｃａｔｉｏｎ＿１）及び呼出表示を計算する。
【００６１】
（３）前記ＵＥ１０４は、前記カウンタＴ＿ＭＢＭＳ＿ＰＡＧＩＮＧが０になるまで、前記第１呼出区間（ｐａｇｉｎｇ  ｏｃｃａｔｉｏｎ＿１）及び前記呼出表示を利用することによって、本発明の第１実施形態と同一の方法でＰＩＣＨを監視する。
【００６２】
（４）前記ＵＥ１０４は、ＴＭＧＩ及び第２ＤＲＸ係数を利用することによって、本発明の第１実施形態と同一の方法で第２呼出区間（ｐａｇｉｎｇ  ｏｃｃａｔｉｏｎ＿２）及び呼出表示を計算する。
【００６３】
（５）前記カウンタＴ＿ＭＢＭＳ＿ＰＡＧＩＮＧが０になると、前記ＵＥ１０４は、前記第２呼出区間（ｐａｇｉｎｇ  ｏｃｃａｔｉｏｎ＿２）及び呼出表示を利用することによって、本発明の第１実施形態と同一の方法でＰＩＣＨを監視する。
【００６４】
（６）前記監視された特定の呼出区間の呼出表示が“１”である場合、前記ＵＥ１０４は、前記呼出区間の関連Ｓ−ＣＣＰＣＨフレームを受信することによって、自分に対応するＭＢＭＳサービス通知メッセージを受信する。
【００６５】
さらに、図５の段階５１７乃至段階５２７の過程は、図２の段階２１７乃至段階２２７、図４の段階４１７乃至段階４２７の過程と同一の動作を遂行するので、詳細な説明は省略する。
【００６６】
ここで、本発明の実施形態における機能を遂行するＵＥ構造を図６を参照して説明する。図６は、本発明の実施形態における機能を遂行するためのＵＥの内部構造を示すブロック図である。
【００６７】
図６を参照すると、前記ＵＥの無線資源制御（Ｒａｄｉｏ  Ｒｅｓｏｕｒｃｅ  Ｃｏｎｔｒｏｌ：  以下、ＲＲＣと称する）階層（ｌａｙｅｒ）６３０は、ＲＮＣから受信されたＭＢＭＳサービス要請応答メッセージに含まれているＤＲＸ関連パラメータを呼出区間／呼出表示（ＰＯ／ＰＩ）計算器６５０に提供する。前記“ＤＲＸ関連パラメータ（ＤＲＸ−ｒｅｌａｔｅ  ｐａｒａｍｅｔｅｒｓ）”とは、本発明の第１実施形態のＤＲＸ係数、ＴＭＧＩ及びＮｐ、本発明の第２実施形態のＤＲＸ係数、ＴＭＧＩ、Ｎｐ及び活性化時間、及び本発明の第３実施形態の第１ＤＲＸ係数、第２ＤＲＸ係数、ＴＭＧＩ、Ｎｐ及び活性化時間である。前記ＰＯ／ＰＩ計算器６５０は、前記ＲＲＣ階層６３０から提供されたＤＲＸ関連パラメータを受信し、前記受信されたＤＲＸ関連パラメータを利用して、呼出表示及び呼出区間、つまり、Ｉ（ＰＩ）値、Ｎｐ値及びＳＦＮ（ＰＯ）を計算する。それから、前記ＰＯ／ＰＩ計算器６５０は、前記計算されたＳＦＮ（ＰＯ）を呼出区間モニタ（ＰＯ＿ＴＯ＿ＭＯＮＩＴＯＲ）６６０に提供し、前記計算されたＩ（ＰＩ）値及びＮｐ値を呼出表示モニタ（ＰＩ＿ＴＯ＿ＭＯＮＩＴＯＲ）６７０に提供する。前記ＰＯ／ＰＩ計算器６５０は、前述したように、本発明の第１実施形態、第２実施形態及び第３実施形態において、異なって呼出表示及び呼出区間を計算する。その理由は、本発明の第１実施形態、第２実施形態及び第３実施形態において与えられるＤＲＸ関連パラメータがそれぞれ異なるからである。
【００６８】
前記呼出表示モニタ６７０は、前記ＰＯ／ＰＩ計算器６５０から提供されたＩ（ＰＩ）値及びＮｐ値を貯蔵し、前記Ｉ（ＰＩ）値及びＮｐ値をＰＩＣＨ受信器６１０に提供する。前記呼出表示モニタ６７０は、前記Ｉ（ＰＩ）値及びＮｐ値が変更される度に、前記変更されたＩ（ＰＩ）値及びＮｐ値を前記ＰＩＣＨ受信器６１０に提供して、前記ＰＩＣＨ受信器６１０が実時間でＩ（ＰＩ）値及びＮｐ値の変更を認識するようにする。前記呼出時点モニタ６６０は、前記ＰＯ／ＰＩ計算器６５０から提供されたＳＦＮ（ＰＯ）値を貯蔵し、前記ＳＦＮ（ＰＯ）値をＰＩＣＨ受信器６１０に提供する。前記呼出区間モニタ６６０も、前記ＳＦＮ（ＰＯ）値が変更される度に、前記変更されたＳＦＮ（ＰＯ）値を前記ＰＩＣＨ受信器６１０に提供して、前記ＰＩＣＨ受信器６１０が実時間で前記ＳＦＮ（ＰＯ）値の変更を認識するようにする。
【００６９】
前記ＰＩＣＨ受信器６１０は、前記呼出区間モニタ６６０から出力されたＳＦＮ（ＰＯ）値に対応するＳＦＮのみで動作し、前記呼出表示モニタ６７０から出力されたＩ（ＰＩ）値に対応するＰＩＣＨのＰＩを処理し、前記ＰＩをＰＣＨ受信制御器６４０に提供する。ここで、前記ＰＩＣＨ受信器６１０は、前記呼出表示モニタ６７０から提供されたＩ（ＰＩ）値及びＮｐ値を利用することによって、ＰＩＣＨ無線フレームをＮｐで等分した後、（Ｉ（ＰＩ）＋１）番目のＰＩを処理する。例えば、図３において、特定のＭＢＭＳサービスに割り当てられたＴＭＧＩが１０００である場合、前記ＭＢＭＳサービスのＩ（ＰＩ）値は数２によって計算されることによって０になる。その結果、前記ＰＩＣＨ受信器６１０は、（０＋１）番目のＰＩを処理し、その結果をＰＣＨ受信制御器６４０に提供する。
【００７０】
前記ＰＣＨ受信制御器６４０は、前記ＰＩＣＨ受信器６１０から提供されたＰＩを解析する。前記ＰＩの解析結果が“１”である場合、前記ＰＣＨ受信制御器６４０は、前記ＰＣＨ受信器６２０が関連Ｓ−ＣＣＰＣＨフレームを処理するように制御する。反対に、前記ＰＩＣＨ受信器６１０から提供されたＰＩの解析結果は“０”である場合、前記ＰＣＨ受信器６２０は、次のＰＩが受信されるまで待機する。つまり、図３に示すように、関連Ｓ−ＣＣＰＣＨフレームは、特定のＰＯより以前に設定された時間の後に開始し、１つの無線フレームの間に持続されるＰＣＨにマッピングされるＳ−ＣＣＰＣＨを意味する。従って、関連Ｓ−ＣＣＰＣＨフレームは、特定の呼出区間から予め設定された時間だけ離隔してＳ−ＣＣＰＣＨを通して伝送される３８４００チップデータになる。
【００７１】
一方、前記ＰＣＨ受信器６２０は、前記ＰＣＨ受信制御器６４０の制御によって、前記関連Ｓ−ＣＣＰＣＨフレームを処理し、その結果を前記ＲＲＣ階層６３０に提供する。前記ＲＲＣ階層６３０は、ＰＣＨ受信器６２０から出力された前記処理結果である該当メッセージがＵＥ自体のメッセージであるか否かを確認する。前記該当メッセージがＵＥ自体に対するメッセージである場合、前記ＲＲＣ階層６３０は、前記メッセージに含まれた情報によって必要な動作を遂行する。例えば、前記ＲＲＣ階層６３０は、前記ＰＣＨ受信器６２０から提供されたメッセージがＵＥが受信しようとするＭＢＭＳサービスのＴＭＧＩと一致するＴＭＧＩを含み、前記メッセージがＭＢＭＳサービス通知メッセージである場合、前記ＲＲＣ階層６３０は、呼出応答メッセージを構成してＲＮＣに伝送する。
【００７２】
ここで、本発明の第１実施形態、第２実施形態及び第３実施形態間の図６において説明したＵＥの動作における差を説明する。
【００７３】
第１に、前記ＲＲＣ階層６３０から前記ＰＯ／ＰＩ計算器６５０に伝達されるＤＲＸ関連パラメータが異なり、これを説明すると、以下のようである。
【００７４】
（１）本発明の第１実施形態
前記ＲＲＣ階層６３０は、前記ＰＯ／ＰＩ計算器６５０にＴＭＧＩ、ＤＲＸ係数及びＮｐを提供する。そうすると、前記ＰＯ／ＰＩ計算器６５０は、数１及び数２によってＳＦＮ（ＰＯ）及びＩ（ＰＩ）を計算し、前記計算されたＩ（ＰＩ）及びＮｐを前記呼出表示モニタ６７０に提供し、前記計算されたＳＦＮ（ＰＯ）を前記呼出区間モニタ６６０に提供する。
【００７５】
（２）本発明の第２実施形態
前記ＲＲＣ階層６３０は、前記ＰＯ／ＰＩ計算器６５０にＴＭＧＩ、ＤＲＸ係数、活性化時間及びＮｐを提供する。前記ＰＯ／ＰＩ計算器６５０は、前記活性化時間値をＴ＿ＭＢＭＳ＿ＰＡＧＩＮＧというカウンタに入力し、無線フレーム毎に、つまり、１０ｍｓ毎に１ずつ前記カウンタを減少させる。さらに、前記ＰＯ／ＰＩ計算器６５０は、数１及び数２を使用してＳＦＮ（ＰＯ）及びＩ（ＰＩ）を計算する。前記Ｔ＿ＭＢＭＳ＿ＰＡＧＩＮＧのカウンタの値が０になると、前記ＰＯ／ＰＩ計算器６５０は、前記Ｉ（ＰＩ）及びＮｐを前記呼出表示モニタ６７０に提供し、前記ＳＦＮ（ＰＯ）を前記呼出区間モニタ６６０に提供する。
【００７６】
（３）本発明の第３実施形態
前記ＲＲＣ階層６３０は、前記ＰＯ／ＰＩ計算器６５０にＴＭＧＩ、第１ＤＲＸ係数、第２ＤＲＸ係数、活性化時間及びＮｐを提供する。そうすると、前記ＰＯ／ＰＩ計算器６５０は、前記第１ＤＲＸ係数及びＴＭＧＩを数１及び数２に適用してＳＦＮ（ＰＯ）＿１及びＩ（ＰＩ）を計算する。前記ＰＯ／ＰＩ計算器６５０は、前記計算されたＩ（ＰＩ）及びＮｐを呼出表示モニタ６７０に提供し、前記計算されたＳＦＮ（ＰＯ）＿１を呼出区間モニタ６６０に提供する。さらに、前記ＰＯ／ＰＩ計算器６５０は、前記活性化時間値をＴ＿ＭＢＭＳ＿ＰＡＧＩＮＧというカウンタに入力し、無線フレーム毎に、つまり、１０ｍｓ毎に前記カウンタを１ずつ減少させる。さらに、前記ＰＯ／ＰＩ計算器６５０は、前記第２ＤＲＸ係数及びＴＭＧＩを数１に適用してＳＦＮ（ＰＯ）＿２計算する。その後、前記Ｔ＿ＭＢＭＳ＿ＰＡＧＩＮＧのカウンタの値が０に至ると、前記ＰＯ／ＰＩ計算器６５０は、ＳＦＮ（ＰＯ）＿２を前記呼出区間モニタ６６０に出力する。
【００７７】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【図面の簡単な説明】
【００７８】
【図１】移動通信システムにおいてＭＢＭＳサービスを提供するためのネットワーク構造を概略的に示す図。
【図２】本発明の第１実施形態による移動通信システムにおいてＭＢＭＳサービスを開始するための過程を示す信号フローチャート。
【図３】移動通信システムにおける呼出区間を概略的に示す図。
【図４】本発明の第２実施形態による移動通信システムにおいてＭＢＭＳサービスを開始するための過程を示す信号フローチャート。
【図５】本発明の第３実施形態による移動通信システムにおいてＭＢＭＳサービスを開始するための過程を示す信号フローチャート。
【図６】本発明の実施形態における機能を遂行するためのＵＥ内部構造を示すブロック図。
【符号の説明】
【００７９】
１００    ＳＧＳＮ
１０１    ＲＮＣ
１０４    ＵＥ
１１０    ＢＭ−ＳＣ
【図１】
2004166211.tif 000006
【図２】
2004166211.tif 000007
【図３】
2004166211.tif 000008
【図４】
2004166211.tif 000009
【図５】
2004166211.tif 000010
【図６】
2004166211.tif 000011
【外国語明細書】
2004166211.tif 000012
2004166211.tif 000013
2004166211.tif 000014
2004166211.tif 000015
2004166211.tif 000016
2004166211.tif 000017
2004166211.tif 000018
2004166211.tif 000019
2004166211.tif 000020
2004166211.tif 000021
2004166211.tif 000022
2004166211.tif 000023
2004166211.tif 000024
2004166211.tif 000025
2004166211.tif 000026
2004166211.tif 000027
2004166211.tif 000028
2004166211.tif 000029
2004166211.tif 000030
2004166211.tif 000031
2004166211.tif 000032
2004166211.tif 000033
2004166211.tif 000034
2004166211.tif 000035
2004166211.tif 000036
2004166211.tif 000037
2004166211.tif 000038
2004166211.tif 000039
2004166211.tif 000040
2004166211.tif 000041
2004166211.tif 000042
2004166211.tif 000043
2004166211.tif 000044
2004166211.tif 000045
2004166211.tif 000046